(57)【要約】      （修正有）【課題】携帯用情報機器のデータ入力の際、別途の機器を購入せず、ユーザが携帯している携帯電話のような外部機器を活用してデータを入力及び処理可能な外部機器から入力されたデータの処理が可能な携帯用情報機器及びその処理方法を提供する。【解決手段】外部機器から入力されたデータの処理が可能な携帯用情報機器及びその方法。該携帯用情報機器は外部機器と連結され、外部機器からキーデータを入力するインタフェース部を備え、インタフェース部を介して外部機器からキーデータが入力されれば、入力されたキーデータを携帯用情報機器に入力可能なキーコード値に変換するキーコード変換部とを備える。【選択図】図２
2006318497.tif 000002
【特許請求の範囲】
【請求項１】
外部機器と連結可能なインタフェース部を備えた携帯用情報機器において、
前記携帯用情報機器とキーコード生成体系が別の外部機器のキーデータを前記携帯用情報機器のキーコード値にマッピングするよう格納している複数のキーマッピングテーブルと、
前記インタフェース部を介して外部機器と携帯用情報機器が連結されると、前記外部機器上の情報及び前記外部機器のキーコード生成体系のうちの１つに基づいて前記複数のキーマッピングテーブルのうち前記外部機器に対応されるキーマッピングテーブルがあるかを確認するキーコード識別部と、
前記外部機器に対応される前記キーマッピングテーブルに基づき、前記外部機器から入力されたキーデータを前記携帯用情報機器のキーコード値に変換し、前記変換されたキーコード値を文字入力コード及び機能コードのうちいずれか１つに認識して出力するキーコード変換部と、
前記変換されたキーコード値が文字入力コードに認識されると、前記文字入力コードに対応する文字を表示するように制御し、前記変換されたキーコード値が機能コードに認識されると、前記機能コードに対応する機能を行う制御部と、を備え、
前記外部機器は、携帯用情報機器から独立して動作し、
前記キーマッピングテーブルに格納された前記外部機器のキーデータは、前記外部機器の製造メーカまたは前記外部機器に用いられるチップの種類別に区分され格納されることを特徴とする携帯用情報機器。
【請求項２】
前記キーマッピングテーブルに格納された前記外部機器のキーデータは、前記外部機器の製品別に区分され格納されていることを特徴とする請求項１に記載の携帯用情報機器。
【請求項３】
前記キーコード変換部を介して変換されたキーコード値は、文字入力コード及び機能コードのうちいずれか１つに認識されることを特徴とする請求項１に記載の携帯情報機器。
【請求項４】
前記キーコード変換部を介して変換されたキーコード値が文字入力コードである場合、前記外部機器から入力される文字キーを入力することを特徴とする請求項３に記載の携帯用情報機器。
【請求項５】
前記キーコード変換部を介して変換されたキーコード値が機能コードである場合、前記外部機器から入力される機能キーに該当する機能を行うことを特徴とする請求項３に記載の携帯用情報機器。
【請求項６】
前記キーコード変換部を介して変換されたキーコード値が文字入力コードのうちハングルコードである場合、前記キーコード変換部は前記外部機器に対応される前記キーマッピングテーブルを介して出力されたキーコード値を子音、母音、パッチムのいずれの１つに区分され、互いに組合する文字組合部をさらに備えることを特徴とする請求項４に記載の携帯用情報機器。
【請求項７】
前記インタフェース部はＵＳＢインタフェース部であることを特徴とする請求項１に記載の携帯用情報機器。
【請求項８】
前記外部機器は前記外部機器は携帯電話であることを特徴とする請求項１に記載の携帯用情報機器。
【請求項９】
外部機器のキーパッドを用いて携帯用情報機器にデータを入力する方法において、
携帯用情報機器とキーコード生成体系が別の外部機器のキーデータを前記携帯用情報機器のキーコード値にマッピングするようキーマッピングテーブルに格納する段階と、
外部機器と携帯用情報機器が連結されると、前記外部機器上の情報及び前記外部機器のキーコード生成体系のうちの１つに基づいて前記外部機器に対応されるキーマッピングテーブルがあるかを確認する段階と、
前記キーマッピングテーブルに基づき、前記外部機器から入力されたキーデータを前記携帯用情報機器のキーコード値に変換する段階と、
前記変換されたキーコード値を文字入力コード及び機能コードのうちいずれか１つに認識する段階と、
前記変換されたキーコード値が文字入力コードに認識されると、前記文字入力コードに対応する文字を表示する段階と、
前記変換されたキーコード値が機能コードに認識されると、前記機能コードに対応する機能を行う段階と、を備え、
前記外部機器は、携帯用情報機器から独立して動作し、
前記キーマッピングテーブルに格納された前記外部機器のキーデータは、前記外部機器の製造メーカまたは前記外部機器に用いられるチップの種類別に区分され格納されることを特徴とする携帯用情報機器の入力データ処理方法。
【請求項１０】
変換された前記携帯用情報機器のキーコード値は、文字入力コードまたは機能コードのうちいずれか１つに認識されることを特徴とする請求項９に記載の携帯用情報機器の入力データ処理方法。
【発明の詳細な説明】
【技術分野】
【０００１】
本発明は、携帯用情報機器の入力データ処理に係わり、さらに詳しくは、携帯電話のような外部機器からキーデータを入力し処理出来る携帯用情報機器及びその処理方法に関する。
【背景技術】
【０００２】
特許文献１で公開された“PC dockable phone”によれば、ＰＣとＰＤＡを連結して使用する場合、ＰＤＡのユーザがディスプレー及び入力インタフェース部を用いってＰＣから電話通信機能が行える方法が開示されている。
【０００３】
最近、デジタル技術の発達とともに携帯電話、ＰＤＡ、電子帳面及びノート型パソコン等のような携帯用情報機器が数多く出回っている。特に、ＰＤＡ器は個人情報管理及び通信機能を備えた携帯しやすい小型個人用端末機として、携帯電話の機能と電子メール及び株式情報などが同時に提供されるため情報化社会の必需品として浮上している。
【０００４】
ところが、従来のＰＤＡは、小型（例えば、３インチ×５インチ）のタッチスクリーンパネルに別途のソフトキーボードプログラムを浮かべてスタイラスペンを用いてキーを入力する。従って、ディスプレーされる画面は小さく、入力速度が遅いため誤って入力する割合が高く、ユーザはいらいらしがちであった。
【０００５】
また、ソフトキーボードが占めている部分が実行中である他プログラムの部分を遮っているため、遮られたコンテンツの内容を参照するのに不便であった。
【０００６】
さらに、入力過程において常にソフトキーボードプログラムを駆動させるために必要なビデオメモリ及びＣＰＵリソースを消耗しなければならなかったという問題があった。
【０００７】
このような問題点を解決するため、外部着脱式キーボード装置を連結してキーを入力する方法が用いられるようになった。
【０００８】
しかし、現在使われている着脱式キーボード製品の大部分はシリアル方式であり、基本的にはＰｎＰ(Plug and Play)機能が支援されていないのでＰＤＡがキーボードを認識するために再ブーティング過程が必要であったことと、キーボードを別途に携帯しなければならなかったことでユーザは煩わしいと思わざるを得なかった。
【特許文献１】英国特許公開２３４６７６１号
【発明の開示】
【発明が解決しようとする課題】
【０００９】
本発明は、前述したような問題点を解決するために案出されたもので、携帯用情報機器の入力の際ユーザが携帯している携帯電話を活用することによって別途の機器購入のコストをなくし、キーボードの入力が慣れているためユーザが便利に使用出来る外部機器から入力されたデータの処理が可能な携帯用情報機器及びその処理方法を提供することにある。
【課題を解決するための手段】
【００１０】
前述した目的を達成するための、本発明による外部機器と連結可能なインタフェース部とを備えた携帯用情報機器において、前記携帯用情報機器とキーコード生成体系が別の外部機器のキーデータを前記携帯用情報機器のキーコード値にマッピングするよう格納している複数のキーマッピングテーブルと、前記インタフェース部を介して外部機器と携帯用情報機器が連結されれば、前記外部機器に対応されるキーマッピングテーブルがあるかを確認するキーコード識別部と、前記キーマッピングテーブルに基づき、外部機器から入力されたキーデータを前記携帯用情報機器のキーコード値に変換して出力するキーコード変換部と、を備えることを特徴とする携帯用情報機器が提供される。
【００１１】
ここで、前記キーマッピングテーブルに格納された前記外部機器のキーデータは前記外部機器の製品別に区分され格納されている。また、前記キーマッピングテーブルにて、前記外部機器の製造メーカまたは前記外部機器に用いられるチップの種類別に区分され格納されている。
【００１２】
前記キーコード変換部を介して変換されたキーコード値は文字入力コードまたは機能コードのうちいずれか１つに認識されることが望ましい。
前記キーコード 変換部を介して変換されたキーコード値が文字入力コードである場合、前記携帯用情報機器は前記外部機器から入力される文字キーを入力する。
前記キーコード変換部を介して変換されたキーコード値が機能コードである場合、前記携帯用情報機器は前記外部機器から入力される機能キーに該当する機能を果たす。
【００１３】
前記キーコード変換部を介して変換されたキーコード値が文字入力コードのうちハングルコードである場合、前記キーコード変換部は前記キーマッピングテーブルを介して出力されたキーコード値を子音、母音、パッチムのうちいずれか1つに区分され互いに組合せする文字組合部をさらに備えることが望ましい。
前記インタフェース部はＵＳＢインタフェース部で、前記外部機器は携帯電話であることが望ましい。
【００１４】
前記他の目的を達成するためには、外部機器のキーパッドを用いて携帯用情報機器にデータを入力する方法において、携帯用情報機器とキーコード生成体系が別の外部機器のキーデータを前記携帯用情報機器のキーコード値にマッピングするようキーマッピングテーブルに格納する段階と、外部機器と携帯用情報機器が連結されれば、前記外部機器に対応するキーマッピングテーブルがあるかを確認する段階と、前記キーマッピングテーブルに基づき外部機器から入力されたキーデータを前記携帯用情報機器のキーコード値に変換する段階と、を備えることを特徴とする携帯用情報機器の入力データ処理方法が提供される。
【００１５】
また、前記携帯用情報機器のキーコード値に変換されたキーコード値は文字入力コードまたは機能コードのうちのいずれか１つに認識されることが望ましい。
【発明を実施するための最良の形態】
【００１６】
以下、添付した図面に基づいて本発明をさらに詳しく説明する。
図１は、ＵＳＢケーブルを用いて本発明の一実施例に係る携帯用情報機器と外部機器を連結した例を示す図面である。
同図を参照すると、携帯用情報機器２００はＵＳＢケーブル１５０を介して外部機器１００と連結されている。
ここで、外部機器１００は携帯電話が適用されうることもあり、携帯用情報機器２００はＰＤＡ（Personal Digital Assistant）が適用されうる。
【００１７】
外部機器１００が携帯用情報機器２００とＵＳＢケーブル１５０を介して連結されれば、ＵＳＢの初期化過程（Enumeration）を経て外部機器からデスクリプタ情報を読み出し、機器製造メーカ及びデバイス情報を確認する。
そして、ＵＳＢケーブル１５０は、外部機器１００に接続され外部機器１００から出力されるキーデータを接続された携帯用情報機器２００に伝達する。ＵＳＢケーブル１５０のコネクタはそれぞれ携帯用情報機器２００と外部機器１００に適したコネクタを使用することが望ましい。外部機器１００が携帯電話である場合、ＵＳＢ用データ転送ケーブルを使用することが望ましい。
【００１８】
図２は、図１の携帯用情報機器に適用されたＰＤＡの詳細構成を示すブロック図である。
同図を参照すると、本発明に係るＰＤＡ２００はインタフェース部２０２、入力部２０４、キーコード識別部２０５、キーコード変換部２０６、文字組合部２０７、キーマッピングテーブル２０８、制御部２１０及び表示部２１２を有する。
【００１９】
入力部２０４は、キーパネルまたはタッチパネルで具現され、数字キー、方向キー、確認キー等の多様な機能キーを有する。入力部２０４は、ユーザの文字入力及び機能キーの選択による入力信号を制御部２１０で出力する。
表示部２１２は、制御部２１０の制御信号に従って入力された文字データを示し、メニューバーまたは他に適用可能な表示手段（図示せず）を移動及び選択することを示す。
【００２０】
インタフェース部２０２は、ＵＳＢインタフェース部であることが望ましく、ＵＳＢインタフェース部ＰｎＰ機能を支援するためインタフェース部２０２を介して携帯電話が連結されている際、ＰＤＡ２００を再ブーティングする必要がない。
インタフェース部２０２は、ＵＳＢケーブル１５０を介して接続された携帯電話からキーデータを入力してバッファ(図示せず)に格納する。
【００２１】
携帯電話とＰＤＡは、相異なるキーコード生成体系を有する。これによって、携帯電話から生成されたキーデータはＰＤＡのキーコード値にマッピングされ、キーマッピングテーブル２０８に格納され、キーコード生成体系別に格納される。
すなわち、キーマッピングテーブル２０８は、携帯電話に内蔵された無線チップの種類（例えば、ＣＤＭＡ方式、ＧＳＭ方式）または携帯電話の製造メーカ別に区分され格納されている。
【００２２】
キーマッピングテーブル２０８は、必要に応じてマッピングテーブルをアップグレードするためにフラッシュＲＯＭに格納されることが望ましい。
表１は、キーマッピングテーブル２０８に格納されている特定デバイスのキーデータマッピングテーブルの一例を表している。
【００２３】
【表１】
2006318497.tif 000003
【００２４】
制御部２１０は、入力部２０４を介して入力される入力信号によってＰＤＡ２００の全般の動作を制御する。
キーコード識別部２０５は、インタフェース部２０２を介して携帯電話とＰＤＡ２００が連結されれば、外部機器に対応されるキーマッピングテーブルがあるかを確認する。
キーコード変換部２０６は、携帯電話からキーデータが入力されれば、キーデータに対応されるキーコード値を前記キーマッピングテーブルに基づいて変換し、制御部２１０に出力する。
【００２５】
このために、キーコード変換部２０６は、インタフェース部２０２を介して携帯電話からキーデータが入力されれば、入力されたキーデータの生成体系を識別し、入力されたキーデータの生成体系に対応されるキーマッピングテーブルがあるかを確認する。入力されたキーデータの生成体系に対応されるキーマッピングテーブルがある場合、キーマッピングテーブルに基づいて入力されたキーデータをＰＤＡのキーコード値に変換して出力する。
【００２６】
さらに、キーコード変換部２０６は入力されたキーデータをキーデータの種類に従ってそれぞれの文字コードが文字入力コードであるかメニューバー移動/選択コードであるかを認識して処理する。
【００２７】
そして、文字入力コードである場合、入力されたキーデータ値がハングルコードであるか、英文字コード、あるいは他のアルファベットまたは言語コードであるかを確認する。もし、入力されたキーデータがハングルコードであれば、文字組合部２０７はキーマッピングテーブル２０８を介して出力されたキーコード値を子音、母音、及びパッチムのうちいずれの１つに区分させ、互いに組合せる。
【００２８】
一般にハングルは、子音/母音、または子音/母音/パッチムから成り立つ。ここで、子音/母音/パッチムからなるハングルの場合、パッチムは子音から形成され、子音及びパッチムは同一または相違の場合もある。
【００２９】
次に、キーコード変換部２０６が行うコード変換について例を挙げて説明する。
携帯電話のキーパッドにて数式１が押されれば、
【００３０】
【数１】
2006318497.tif 000004
【００３１】
携帯電話で数式２に該当するキーコードが発生する。
【００３２】
【数２】
2006318497.tif 000005
【００３３】
ここで、発生されたキーコードは携帯電話に内蔵されたチップの種類または携帯電話の製造メーカによって異なる。
例えば、数式３の場合、
【００３４】
【数３】
2006318497.tif 000006
【００３５】
発生したキーデータがＵＳＢケーブルを介して携帯用情報機器ＰＤＡに入力される。
【００３６】
キーコード識別部２０５は、携帯電話の類型に対応するキーマッピングテーブルを検索する。携帯電話の類型はＵＳＢ初期化段階（Enumeration）で認識される。キーコード変換部はＰＤＡで入力されたキーデータをＰＤＡが認識出来るキーデータに変換する。
【００３７】
もし、キーデータがハングルである場合、文字組合モジュールで完成されたハングルで組合せる。
例えば、数式４の場合である。
【００３８】
【数４】
2006318497.tif 000007
【００３９】
そして、制御部２１０から文字コードが入力され、表示部２１２にディスプレーされる。
【００４０】
例えば、数式５の文字を出力する。
【００４１】
【数５】
2006318497.tif 000008
【００４２】
図３は、図２のＰＤＡが外部入力を処理する過程のフローチャートである。
ＵＳＢの初期過程を経て外部機器の種類を認識する（ステップＳ３０２）。
認識された外部機器に該当するキーコード値がキーマッピングテーブルに格納されているのかを確認する（ステップＳ３０４）。
そして、インタフェース部のバッファを読み込む（ステップＳ３０６）。
キーマッピングテーブルにて入力されたキーコード値を検索して出力する（ステップＳ３０８）。
検索されたキーコード値を検査して文字コードであるかメニュー移動/選択コードであるかを確認する（ステップＳ３１０）。
検索されたキーコード値が文字コードである場合、キーコード値を調べてハングルであるか英文字であるかを確認する（ステップＳ３１２）。
ハングルである場合、文字で組合せて完成する（ステップ３１４）。
キーコード値を制御部に出力する（ステップＳ３１６）。
しかし、検索されたキーコード値がメニュー移動/選択コードである場合、該当制御のための座標を認識する（ステップＳ３１６）。メニューバー移動及び選択のための座標値を制御部に出力する（ステップＳ３１８）。
【００４３】
［発明の効果］
本発明に係る携帯用情報機器及びその処理方法によれば、外部機器から入力されたデータの処理可能な携帯用情報機器及びその処理方法によれば、外部機器からキーデータが入力されることができ、入力されたキーデータの種類によって一般の文字入力作業のみならず機能キー入力を通したメニューバー移動及び希望するメニュー選択が可能である。
【００４４】
さらに、ユーザに慣れている携帯電話のキーパッドを利用するためデータの入力速度が早く、文字の誤入力の可能性は低いのでユーザの便宜を図ることが可能である。
【００４５】
そして、従来のPDAでソフトキーボードプログラムを浮かべて使用する場合に消耗されるビデオメモリ及びＣＰＵリソースを節約することが出来る。
【００４６】
以上、代表的な実施例をもって本発明を詳細に説明したが、本発明に属する技術分野において通常の知識を持つ者であれば前述した実施例に対して本発明の範囲に抜け出すことない限度内で多様な変形が可能であることが理解出来る。よって、本発明の権利範囲は説明された実施例に限られ定まれるべきではなく、後術する特許範囲のみならず該特許の請求範囲と均等なものによって定まれるべきである。
【図面の簡単な説明】
【００４７】
【図１】ＵＳＢケーブルを用いて本発明の一実施例による携帯用情報機器と外部機器を連結した例を示す図。
【図２】図１の携帯用情報機器に適用されたＰＤＡの詳細構成を示すブロック図。
【図３】図２のＰＤＡが外部入力を処理する過程のフローチャート。
【符号の説明】
【００４８】
１００    外部機器
１５０    ＵＳＢケーブル
２００    ＰＤＡ
２０２    インタフェース部
２０４    入力部
２０６    キーコード変換部
２０７    文字組合部
２０８    キーマッピングテーブル
２１０    制御部
２１２    表示部
【図１】
2006318497.tif 000009
【図２】
2006318497.tif 000010
【図３】
2006318497.tif 000011
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
外部機器と連結可能な携帯用情報機器のキーデータの処理方法において、
前記外部機器から受信されたキーデータを前記携帯用情報機器のキーコードに変換する段階と、
前記変換されたキーコードを文字入力コード及び機能コードのうちいずれか１つに認識する段階と、
前記変換されたキーコードが前記文字入力コードに認識されると、前記文字入力コードに対応する文字を表示する段階と、
前記変換されたキーコードが機能コードに認識されると、前記機能コードに対応する機能を行う段階と、
を備えることを特徴とするキーデータ処理方法。
【請求項２】
前記機能コードは、前記携帯用情報機器のメニュー移動/選択コードであることを特徴とする請求項１に記載のキーデータ処理方法。
【請求項３】
前記機能遂行段階は、
前記認識段階で前記変換されたキーコードが前記機能コードに認識されると、前記機能コードに対応する座標を認識及び出力する段階と、
出力された前記座標を利用してメニュー機能を行う段階と、
を備えることを特徴とする請求項１に記載のキーデータ処理方法。
【請求項４】
前記変換されたキーコードが前記文字入力コードである場合、前記キーコードは前記外部機器から入力される文字キーに対応されることを特徴とする請求項１に記載のキーデータ処理方法。
【請求項５】
外部機器と連結可能な携帯用情報機器において、
前記外部機器から受信されたキーデータを前記携帯用情報機器のキーコードに変換し、前記変換されたキーコードを文字入力コード及び機能コードのうちいずれか１つに認識するキーコード変換部と、
前記変換されたキーコードが前記文字入力コードに認識されると、前記文字入力コードに対応する文字を表示するよう制御し、前記変換されたキーコードが機能コードに認識されると、前記機能コードに対応する機能を行う制御部と、
を備えることを特徴とする携帯用情報機器。
【請求項６】
前記機能コードは、前記携帯用情報機器のメニュー移動/選択コードであることを特徴とする請求項５に記載の携帯用情報機器。
【請求項７】
前記制御部は、
前記キーコード変換部で前記変換されたキーコードが前記機能コードに認識されると、前記機能コードに対応する座標を認識及び出力し、出力された前記座標を利用してメニュー機能を行うことを特徴とする請求項５に記載の携帯用情報機器。
【請求項８】
前記変換されたキーコードが前記文字入力コードである場合、前記キーコードは前記外部機器から入力される文字キーに対応されることを特徴とする請求項５に記載の携帯用情報機器。
【請求項９】
外部機器と連結可能な携帯用情報機器のキーデータの処理方法において、
前記外部機器から受信されたキーデータに対応されるキーコードが組合せ文字であるか又は非組合せ文字であるかを判断する段階と、
前記判断段階で前記キーコードが組合せ文字に判断されると、前記変換されたキーコードを組み合わせる段階と、
前記組合せ段階で組み合わせられたキーコードに対応される文字を表示する段階と、
を備えることを特徴とするキーデータ処理方法。
【請求項１０】
前記組合せ段階は、
前記判断段階で前記変換されたキーコードが前記組合せ文字に判断された場合、文字組合せモジュールを利用して前記キーコードを完成された文字に組み合わせることを特徴とする請求項９に記載のキーデータ処理方法。
【請求項１１】
前記携帯用情報機器とキーコード生成体系が別の前記外部機器のキーデータを前記携帯用情報機器のキーコードにマッピングするようキーマッピングテーブルに格納する段階と、
前記外部機器と前記携帯用情報機器が連結されると、前記外部機器に対応されるキーマッピングテーブルがあるかを確認する段階と、
前記キーマッピングテーブルに基づき、前記外部機器から入力されたキーデータを前記携帯用情報機器のキーコードに変換する段階と、
を備えることを特徴とする請求項９に記載のキーデータ処理方法。
【請求項１２】
前記キーマッピングテーブルは前記外部機器の製品類型、前記外部機器の製造メーカ、及び前記外部機器に用いられるチップ種類のうち少なくとも１つに区分され格納されていることを特徴とする請求項１１に記載のキーデータ処理方法。
【請求項１３】
外部機器と連結可能な携帯用情報機器のキーデータの処理方法において、
前記外部機器から受信されたキーデータに対応されるキーコードが組合せ文字であるか又は非組合せ文字であるかを判断するキーコード変換部と、
前記キーコードが組合せ文字に判断されると、前記変換されたキーコードを組み合わせる文字組合せ部と、
を備えることを特徴とする携帯用情報機器。
【請求項１４】
前記文字組合せ部で組み合わせられたキーコードに対応される文字を表示するよう制御する制御部を更に備えることを特徴とする請求項１３に記載の携帯用情報機器。
【請求項１５】
前記文字組合せ部は、
前記変換されたキーコードが前記組合せ文字に判断されると、文字組合せモジュールを利用して前記キーコードを完成された文字に組み合わせることを特徴とする請求項１３に記載の携帯用情報機器。
【請求項１６】
前記携帯用情報機器とキーコード生成体系が別の前記外部機器のキーデータを前記携帯用情報機器のキーコードにマッピングするよう格納している複数のキーマッピングテーブルと、
前記外部機器と前記携帯用情報機器が連結されると、前記外部機器に対応されるキーマッピングテーブルがあるかを確認するキーコード識別部と、を更に備え、
前記キーコード変換部は、
前記キーマッピングテーブルに基づき、前記外部機器から入力されたキーデータを前記携帯用情報機器のキーコードに変換することを特徴とする請求項１３に記載の携帯用情報機器。
【請求項１７】
前記キーマッピングテーブルは前記外部機器の製品類型、前記外部機器の製造メーカ、及び前記外部機器に用いられるチップ種類のうち少なくとも１つに区分され格納されていることを特徴とする請求項１６に記載の携帯用情報機器。